(57)【要約】【課題】  剥離紙を用いることなく、情報付与領域に付与された情報を１枚のシートのような形態となったシートを用いて隠蔽して往復送付する。【解決手段】  シート１０に塗布された粘着剤４０ａと、シート２０に塗布された粘着剤４０ｂとが互いにのみ剥離後の再貼着が可能であり、さらに、粘着剤４０ａ，４０ｂが塗布された領域に対向する領域には剥離層１０ｂ，２０ｂがそれぞれ積層されており、この粘着剤４０ａ，４０ｂと剥離層１０ｂ，２０ｂとによってシート１０，２０が剥離可能に貼着されている。シート１０，２０を剥離した後、シート１０の分離領域１２をシート１０の宛先情報１１が記載された領域から分離し、シート２０に設けられた情報付与領域２１上に粘着剤４０ａ，４０ｂによって分離領域１２を貼着する。【選択図】図３
2006347104.tif 000002
【特許請求の範囲】
【請求項１】
情報が付与される情報付与領域を有する第１のシートと、該第１のシートに剥離可能に貼着された第２のシートとからなり、該第２のシートを前記第１のシートから剥離して該第２のシートの一部を前記第１のシートに再貼着することにより、前記情報付与領域に付与された情報を隠蔽する情報隠蔽シートであって、
前記第１のシートは、前記情報付与領域が設けられた面に、筆記性を具備する第１の貼着手段からなる第１の貼着層が積層され、
前記第２のシートは、分離線を介して第１及び第２の領域に分離可能に構成されるとともに、前記第１のシートと対向する面に、前記第１の貼着手段のみが貼着及び剥離可能な第２の貼着手段からなる第２の貼着層が積層され、
前記第１の貼着手段は、前記第２の貼着手段のみが貼着及び剥離可能であり、
前記第１及び第２の貼着手段によって前記第１のシートと前記第２のシートとが剥離可能に貼着されている情報隠蔽シート。
【請求項２】
情報が付与される情報付与領域を有する第１のシートと、該第１のシートに剥離可能に貼着された第２のシートとからなり、該第２のシートを前記第１のシートから剥離して該第２のシートの一部を前記第１のシートに再貼着することにより、前記情報付与領域に付与された情報を隠蔽する情報隠蔽シートであって、
前記第１のシートは、前記情報付与領域上に筆記性を具備する第１の貼着手段からなる第１の貼着層が積層されるとともに、他の領域の前記第２のシートと対向する面に第１の剥離層が積層され、
前記第２のシートは、前記第１の剥離層に対向する領域が第１の領域となるように分離線を介して該第１の領域と第２の領域とに分離可能に構成され、前記第１の領域の前記第１のシートと対向する面に、剥離後の再貼着が前記第１の貼着手段とのみ可能な第２の貼着手段からなる第２の貼着層が積層されるとともに、前記第２の領域の前記第１のシートに対向する面に第２の剥離層が積層され、
前記第１の貼着手段は、剥離後の再貼着が前記第２の貼着手段とのみ可能であり、
前記第１及び第２の貼着手段と前記第１及び第２の剥離層とによって前記第１のシートと前記第２のシートとが剥離可能に貼着されている情報隠蔽シート。
【請求項３】
請求項２に記載の情報隠蔽シートにおいて、
前記第２のシートは、前記第１の領域の前記第１のシートと対向する面に、剥離可能な構成を有する擬似接着層が積層され、該擬似接着層上に前記第２の貼着層が積層されていることを特徴とする情報隠蔽シート。
【発明の詳細な説明】
【技術分野】
【０００１】
本発明は、シート上の所定の領域に付与された情報を隠蔽することができる情報隠蔽シートに関する。
【背景技術】
【０００２】
従来より、情報を記入するための情報記入領域が設けられたはがきにおいて、情報記入領域に情報を記入した後に、この情報記入領域上に隠蔽片を剥離可能に貼着し、それにより、情報記入領域に記入された情報を隠蔽可能とするものが考えられている。このようなはがきの構造としては、例えば、隠蔽片の一方の面に、層間が剥離可能に重合した透明な接合材の両面に透明な粘着剤が塗布されてなる介在シートを貼付しておき、この介在シートによって情報記入領域上に隠蔽片を剥離可能に貼着する技術が考えられている（例えば、特許文献１参照。）。
【０００３】
このはがきを用いて情報を伝達する場合は、はがきの送付先に伝達したい情報を情報記入領域に記入した後、情報記入領域上に介在シートを介して隠蔽片を貼着し、その状態ではがきを送付先に送付する。これにより、はがきの送付途中においては、情報記入領域に記入された情報は隠蔽片によって覆われており、外部から見られてしまうことはない。また、このはがきが送付先に送付された後、はがきの送付先において隠蔽片を剥離すると、接合材の層間が剥離し、情報記入領域に記入された情報が接合材の一方の層を介して視認可能となり、それにより、情報記入領域に記入された情報がはがきの送付元から送付先に伝達されることになる。
【特許文献１】特開平１０−２６４５５９号公報
【発明の開示】
【発明が解決しようとする課題】
【０００４】
しかしながら、上述したように、層間が剥離可能に重合した透明な接合材の両面に透明な粘着剤が塗布されてなる介在シートを隠蔽片の一方の面に貼付しておくものにおいては、介在シートによって情報記入領域上に隠蔽片を貼着する前の状態では、介在シートのうち隠蔽片に貼付された面とは反対側の面に粘着剤によって剥離紙を剥離可能に貼付しておく必要があるため、その分のコストアップが生じてしまうとともに、剥離紙を剥離した後、この剥離紙によるごみが生じてしまうという問題点がある。
【０００５】
また、隠蔽片上に接着力が弱く剥離可能な粘着剤を塗布しておき、情報記入領域に情報を記入した後、この粘着剤によって隠蔽片を情報記入領域上に剥離可能に貼着するものにおいても、情報記入領域上に隠蔽片を貼着する前の状態では、隠蔽片の情報記入領域との貼着面に、粘着剤によって剥離紙を剥離可能に貼付しておく必要があるため、上述したものと同様の問題点が生じてしまう。
【０００６】
本発明は、上述したような従来の技術が有する問題点に鑑みてなされたものであって、剥離紙を用いることなく、情報付与領域に付与された情報を１枚の紙片のような形態となったシートを用いて隠蔽して往復送付することができる情報隠蔽シートを提供することを目的とする。
【課題を解決するための手段】
【０００７】
上記目的を達成するために本発明は、
情報が付与される情報付与領域を有する第１のシートと、該第１のシートに剥離可能に貼着された第２のシートとからなり、該第２のシートを前記第１のシートから剥離して該第２のシートの一部を前記第１のシートに再貼着することにより、前記情報付与領域に付与された情報を隠蔽する情報隠蔽シートであって、
前記第１のシートは、前記情報付与領域が設けられた面に、筆記性を具備する第１の貼着手段からなる第１の貼着層が積層され、
前記第２のシートは、分離線を介して第１及び第２の領域に分離可能に構成されるとともに、前記第１のシートと対向する面に、前記第１の貼着手段のみが貼着及び剥離可能な第２の貼着手段からなる第２の貼着層が積層され、
前記第１の貼着手段は、前記第２の貼着手段のみが貼着及び剥離可能であり、
前記第１及び第２の貼着手段によって前記第１のシートと前記第２のシートとが剥離可能に貼着されている。
【０００８】
上記のように構成された本発明においては、第１のシートと第２のシートとが剥離され、第１のシートに設けられた情報付与領域に情報が付与された後、第２のシートの第１の領域が第２のシートの第２の領域から分離線を介して分離され、この第１の領域が、第２のシートに積層された第２の貼着層を構成する第２の貼着手段と第１のシートに積層された第１の貼着層を構成する第１の貼着手段とによって情報付与領域に貼着される。これにより、第１のシートに設けられた情報付与領域に付与された情報が第２のシートの第１の領域によって隠蔽されることになる。
【０００９】
また、情報が付与される情報付与領域を有する第１のシートと、該第１のシートに剥離可能に貼着された第２のシートとからなり、該第２のシートを前記第１のシートから剥離して該第２のシートの一部を前記第１のシートに再貼着することにより、前記情報付与領域に付与された情報を隠蔽する情報隠蔽シートであって、
前記第１のシートは、前記情報付与領域上に筆記性を具備する第１の貼着手段からなる第１の貼着層が積層されるとともに、他の領域の前記第２のシートと対向する面に第１の剥離層が積層され、
前記第２のシートは、前記第１の剥離層に対向する領域が第１の領域となるように分離線を介して該第１の領域と第２の領域とに分離可能に構成され、前記第１の領域の前記第１のシートと対向する面に、剥離後の再貼着が前記第１の貼着手段とのみ可能な第２の貼着手段からなる第２の貼着層が積層されるとともに、前記第２の領域の前記第１のシートに対向する面に第２の剥離層が積層され、
前記第１の貼着手段は、剥離後の再貼着が前記第２の貼着手段とのみ可能であり、
前記第１及び第２の貼着手段と前記第１及び第２の剥離層とによって前記第１のシートと前記第２のシートとが剥離可能に貼着されている。
【００１０】
このような構成とした場合は、第１のシートと第２のシートとが剥離され、第１のシートに設けられた情報付与領域に情報が付与された後、第２のシートの第１の領域が第２のシートの第２の領域から分離線を介して分離され、この第１の領域が、第１の領域に積層された第２の貼着層を構成する第２の貼着手段と情報付与領域に積層された第１の貼着層を構成する第１の貼着手段とによって情報付与領域に貼着される。これにより、第１のシートに設けられた情報付与領域に付与された情報が第２のシートの第１の領域によって隠蔽されることになる。
【００１１】
また、前記第２のシートは、前記第１の領域の前記第１のシートと対向する面に、剥離可能な構成を有する擬似接着層が積層され、該擬似接着層上に前記第２の貼着層が積層されていることを特徴とする。
【００１２】
このような構成とした場合は、情報付与領域に第２のシートの第１の領域を貼着した後、第１の領域を情報付与領域から剥離しようとすると、擬似接着層が剥離して第１の領域が情報付与領域から剥離されることになる。
【発明の効果】
【００１３】
以上説明したように本発明においては、第１のシートに積層された第１の貼着層を構成する第１の貼着手段と、第２のシートに積層された第２の貼着層を構成する第２の貼着手段とが互いにのみ貼着及び剥離可能であり、この第１の貼着手段と第２の貼着手段によって第１のシートと第２のシートとが剥離可能に貼着されており、第１のシートと第２のシートとが剥離された後、第１のシートに設けられた情報付与領域に情報が付与されるとともに、第２のシートの第１の領域が第２のシートの第２の領域から分離線を介して分離され、第１の貼着手段と第２の貼着手段によって第１の領域が第１のシートに設けられた情報付与領域上に貼着されるため、剥離紙を用いることなく、情報付与領域に付与された情報を１枚の紙片のような形態となったシートを用いて隠蔽して往復送付することができる。
【００１４】
また、第１のシートの情報付与領域に積層された第１の貼着層を構成する第１の貼着手段と、第２のシートの第１の領域に積層された第２の貼着層を構成する第２の貼着手段とが互いにのみ剥離後の再貼着が可能であり、さらに、第１及び第２の貼着層に対向する領域には第１及び第２の剥離層がそれぞれ積層されており、この第１及び第２の貼着手段と第１及び第２の剥離層とによって第１のシートと第２のシートとが剥離可能に貼着されているものにおいては、第２のシートの第１の領域が第１の剥離層に対向しているので、第１のシートと第２のシートとが剥離され、その後、第１のシートに設けられた情報付与領域に情報が付与されるとともに、第２のシートの第１の領域が第２のシートの第２の領域から分離線を介して分離され、第１の貼着手段と第２の貼着手段によって分離領域が情報付与領域上に貼着されるため、剥離紙を用いることなく、情報付与領域に付与された情報を隠蔽することができる。
【００１５】
また、第２のシートの第１の領域の第１のシートと対向する面に、剥離可能な構成を有する擬似接着層が積層され、この擬似接着層上に第２の貼着層が積層されているものにおいては、情報付与領域に第１の領域を貼着した後、第１の領域を情報付与領域から容易に剥離することができるとともに、情報が付与された情報付与領域が擬似接着層によって覆われた状態となり、外部からの損傷等から保護することができる。
【発明を実施するための最良の形態】
【００１６】
以下に、本発明の実施の形態について図面を参照して説明する。
【００１７】
（第１の実施の形態）
図１は、本発明の情報隠蔽シートに用いられる２つのシートのうち一方のシートの第１の実施の形態を示す図であり、（ａ）は表面から見た図、（ｂ）は（ａ）に示したＡ−Ａ’断面図、（ｃ）は（ａ）に示したＢ−Ｂ’断面図、（ｄ）は裏面から見た図である。また、図２は、本発明の情報隠蔽シートに用いられる２つのシートのうち他方のシートの第１の実施の形態を示す図であり、（ａ）は表面から見た図、（ｂ）は（ａ）に示したＡ−Ａ’断面図、（ｃ）は（ａ）に示したＢ−Ｂ’断面図である。また、図３は、図１に示したシート１０と図２に示したシート２０とから構成された情報隠蔽シートを示す図であり、（ａ）は表面から見た図、（ｂ）は積層状態を示す図、（ｃ）は（ａ）に示したＡ−Ａ’断面図、（ｄ）は（ａ）に示したＢ−Ｂ’断面図である。
【００１８】
本形態は図３に示すように、図２に示した第１のシート２０上に図１に示した第２のシート１０が剥離可能に貼着されて構成されている。
【００１９】
シート１０は図１に示すように、分離線１３を介して第１及び第２の領域に分離可能に構成され、第１の領域が分離領域１２となり、第２の領域の表面にこのシート１０の送付先の住所や氏名からなる宛先情報１１が記載されている。また、分離線１３を介して宛先情報１１が記載された側の裏面には、シート１０のベース基材１０ａ上に剥離剤が塗布されることにより第２の剥離層１０ｂが積層されている。また、分離領域１２の裏面には、シート１０のベース基材１０ａ上に剥離可能な構造を有する擬似接着層３０が積層され、この擬似接着層３０上に第２の貼着手段である粘着剤４０ａが塗布されることにより第２の貼着層が積層されている。なお、擬似接着層３０は、シート１０のベース基材１０ａ上に目止剤が塗布されることにより形成された目止層３１と、この目止層３１上に剥離剤が塗布されることにより形成された剥離層３２と、この剥離層３２上に透明なニスが塗布されることにより形成されたニス層３３とから構成されており、剥離層３２とニス層３３との境界面にて剥離可能及び再貼着不可能となっている。また、分離領域１２には、その角部にベース基材１０ａから剥離層３２まで達する切り込み１４が形成されている。
【００２０】
シート２０は図２に示すように、シート１０の剥離層１０ｂと対向する領域の表面に、情報が印字あるいは記入される情報付与領域２１が設けられるとともに、情報付与領域２１ではない領域、すなわち、シート１０の分離領域１２と対向する領域にこのシート２０の送付先の住所や氏名からなる宛先情報２２が記載されている。また、情報付与領域２１上には、シート２０のベース基材２０ａ上に第１の貼着手段である粘着剤４０ｂが塗布されることにより第１の貼着層が積層されており、また、宛先情報２２が記載された領域上には、シート２０のベース基材２０ａ上に剥離剤が塗布されることにより第１の剥離層２０ｂが積層されている。
【００２１】
このように構成されたシート１０とシート２０とは、図３に示すように、シート１０の裏面とシート２０の表面とが対向するように重ね合わされる。その際、分離領域１２が、シート２０に積層された剥離層２０ｂと対向する領域となっていることから、粘着剤４０ａによってシート１０に積層された第２の貼着層とシート２０に積層された剥離層２０ｂとが互いに対向し、また、情報付与領域２１が、シート１０に積層された剥離層１０ｂと対向する領域に設けられていることから、粘着剤４０ｂによってシート２０に積層された第１の貼着層とシート１０に積層された剥離層１０ｂとが互いに対向し、それにより、シート１０とシート２０とが剥離可能に貼着されている。
【００２２】
ここで、粘着剤４０ａ，４０ｂについて詳細に説明する。
【００２３】
粘着剤４０ａ，４０ｂは、自己粘着性を有する高分子ポリマー等の同一の材料からなり、手で押し付ける等といった通常の圧力で自己のみが貼着可能なものである。すなわち、粘着剤４０ａは、粘着剤４０ｂのみが貼着可能なものであり、また、粘着剤４０ｂは粘着剤４０ａのみが貼着可能なものである。ただし、ベース基材１０ａ上に積層された擬似接着層３０あるいはベース基材２０ａ上に粘着剤４０ａ，４０ｂが塗布された直後の粘着剤４０ａ，４０ｂに含有される水分が揮発する前の状態に限っては、粘着剤４０ａ，４０ｂは、それぞれ粘着剤４０ａ，４０ｂ以外のものにも貼着可能である。すなわち、粘着剤４０ａは、粘着剤４０ｂのみが再貼着可能であり、また、粘着剤４０ｂ以外のものに対しては、粘着剤４０ａに含有される水分が揮発する前の状態においては貼着が可能であるが、一度剥離された後は再貼着が不可能となる。また、粘着剤４０ｂは、粘着剤４０ａのみが再貼着可能であり、また、粘着剤４０ａ以外のものに対しては、粘着剤４０ｂに含有される水分が揮発する前の状態においては貼着が可能であるが、一度剥離された後は再貼着が不可能となる。それにより、分離領域１２の粘着剤４０ａが塗布された面は、シート２０の粘着剤４０ｂが塗布された面や剥離層２０ｂが積層された面と貼着するものの、一度剥離された後は、シート２０の粘着剤４０ｂが塗布された面とのみ再貼着し、他の紙や樹脂とは再貼着しない。また、シート２０の粘着剤４０ｂが塗布された面についても、分離領域１２の粘着剤４０ａが塗布された面やシート１０の剥離層１０ｂが積層された面と貼着するものの、一度剥離された後は、分離領域１２の粘着剤４０ａが塗布された面とのみ再貼着し、他の紙や樹脂とは再貼着しない。このように、粘着剤４０ａ，４０ｂとしては、常温、常圧において自着性を有し他着性を有さないものが挙げられる。この粘着剤４０ａ，４０ｂの一例としては、リカボンドＡＰ−Ｐ２１７（中央理化製）が挙げられる。また、ベース基材２０ａ上に粘着剤４０ｂが塗布されてなる第１の貼着層は筆記性を有するため、ベース基材２０ａ上に粘着剤４０ｂが塗布されてなるシート２０の情報付与領域２１には情報の印字や記入が可能となっている。
【００２４】
以下に、上記のように構成された情報隠蔽シートの使用方法について説明する。
【００２５】
まず、図１に示したシート１０と図２に示したシート２０とを図３に示したように重ね合わせ、粘着剤４０ａ，４０ｂ及び剥離層１０ａ，１０ｂによって剥離可能に貼着した状態で、宛先情報１１に従ってシート１０の送付先に送付する。この際、シート１０とシート２０とは、ベース基材１０ａ上に積層された擬似接着層３０あるいはベース基材２０ａ上に粘着剤４０ａ，４０ｂが塗布された直後に貼着されるため、粘着剤４０ａが塗布された分離領域１２がシート２０の剥離層２０ｂと貼着し、また、粘着剤４０ｂが塗布された情報付与領域２１が剥離層１０ｂと貼着する。また、この状態においては、粘着剤４０ａ，４０ｂが塗布された面が表出していないため、情報隠蔽シートの往信時に、粘着剤４０ａ，４０ｂと同一の材料からなる粘着剤が塗布されたものに接触してもそれと貼着されてしまうことはない。
【００２６】
シート１０とシート２０とが貼着された状態でシート１０の送付先に送付された後、シート１０の送付先において、まず、シート１０とシート２０とを剥離する。ここで、シート１０とシート２０とは粘着剤４０ａ，４０ｂによって貼着されているが、粘着剤４０ａ，４０ｂが塗布された領域が貼着されているのが剥離層１０ｂ，２０ｂであるため、シート１０とシート２０とを剥離することができる。
【００２７】
次に、シート２０に設けられた情報付与領域２１に、隠蔽すべき情報を印字あるいは記入する。なお、上述したように、ベース基材２０ａ上に粘着剤４０ｂが塗布されてなる第１の貼着層は筆記性を有するため、ベース基材２０ａ上に粘着剤４０ｂが塗布されてなるシート２０の情報付与領域２１には情報を印字したり記入したりすることができる。このように情報付与領域２１に情報を印字あるいは記入することにより、情報付与領域２１に情報を付与することになる。
【００２８】
次に、シート１０の分離領域１２を分離線１３を介して宛先情報１１が記載された領域から分離する。なお、この分離領域１２の宛先情報１１が記載された領域からの分離においては、分離線１３としてミシン目を形成しておきこのミシン目を断裁することによって行うことや、分離線１３を印刷しておき、この分離線１３をはさみ等で断裁することによって行うこと等が考えられる。
【００２９】
そして、宛先情報１１が記載された領域から分離された分離領域１２をシート２０の情報付与領域２１上に重ね合わせ、粘着剤４０ａ，４０ｂによってこれらを互いに貼着する。なお、粘着剤４０ａ，４０ｂは互いにのみ再貼着可能であるため、上述したように、シート１０とシート２０とが剥離された後でも、再度この粘着剤４０ａ，４０ｂによって、シート２０の情報付与領域２１上にシート１０の分離領域１２を貼着することができる。
【００３０】
図４は、図２に示したシート２０の情報付与領域２１上に図１に示したシート１０の分離領域１２が貼着された状態を示す図であり、（ａ）は表面から見た図、（ｂ）は（ａ）に示したＡ−Ａ’断面図である。
【００３１】
図４に示すように、図２に示したシート２０の情報付与領域２１上にシート１０の分離領域１２が粘着剤４０ａ，４０ｂによって貼着された状態においては、情報付与領域２１に印字あるいは記入された情報は、分離領域１２によって覆われているため、外部から視認不可能となる。
【００３２】
このようにシート２０の情報付与領域２１上にシート１０の分離領域１２が貼着された状態において、このシート２０を、シート２０の表面に記載された宛先情報２２にしたがって送付先に送付することになる。この状態においては、情報付与領域２１に記入された情報が分離領域１２によって隠蔽されているため、シート２０の送付途中において、情報付与領域２１に印字あるいは記入された情報が見られてしまうことはない。また、この状態においては、粘着剤４０ａ，４０ｂが塗布された面が表出していないため、情報隠蔽シートの返信時に、粘着剤４０ａ，４０ｂと同一の材料からなる粘着剤が塗布されたものに接触してもそれと貼着されてしまうことはない。
【００３３】
その後、シート２０が送付先にて受け取られると、シート２０に貼着された分離領域１２が剥離される。この際、分離領域２０には、角部にベース基材１０ａから剥離層３２まで達する切り込み１４が形成されているため、この切り込み１４を利用してシート２０から分離領域１２を容易に剥離することができる。
【００３４】
図５は、図２に示したシート２０に図１に示した分離領域１２が貼着された後にシート２０から分離領域１２が剥離された状態を示す図であり、（ａ）は貼着されていた面を示す図であり、（ｂ）は（ａ）に示したＡ−Ａ’断面図、（ｃ）はシート２０から剥離された分離領域１２の断面図である。
【００３５】
シート２０から分離領域１２を剥離すると、擬似接着層３０が剥離層３２とニス層３３との境界面にて剥離可能な擬似接着構造であるため、図５に示すように、剥離層３２とニス層３３との境界面にて剥離し、それにより、ニス層３３が粘着剤４０ａ，４０ｂによってベース基材２０ａに貼着されたままシート２０側に残存し、また、目止層３１及び剥離層３２が分離領域１２のベース基材１０ａとともにシート２０から剥離される。そして、ニス層３３及び粘着剤４０ａ，４０ｂが透明な材料から構成されているため、情報付与領域２１に印字あるいは記入された情報２３がニス層３３及び粘着剤４０ａ，４０ｂを介して外部から視認可能な状態となる。この際、情報２３が印字あるいは記入された粘着剤４０ｂは、粘着剤４０ａを介してニス層３３によって覆われているため、外部から損傷等を受けにくくなる。
【００３６】
これにより、シート２０の送付先に、情報付与領域２１に印字あるいは記入された情報２３を通知しながらも、シート２０の送付途中において、情報付与領域２１に印字あるいは記入された情報が見られてしまうことを防止することができる。
【００３７】
（第２の実施の形態）
図６は、本発明の情報隠蔽シートに用いられる２つのシートのうち一方のシートの第２の実施の形態を示す図であり、（ａ）は表面から見た図、（ｂ）は（ａ）に示したＡ−Ａ’断面図、（ｃ）は（ａ）に示したＢ−Ｂ’断面図、（ｄ）は裏面から見た図である。また、図７は、本発明の情報隠蔽シートに用いられる２つのシートのうち他方のシートの第２の実施の形態を示す図であり、（ａ）は表面から見た図、（ｂ）は（ａ）に示したＡ−Ａ’断面図、（ｃ）は（ａ）に示したＢ−Ｂ’断面図である。また、図８は、図６に示したシート１１０と図７に示したシート１２０とから構成された情報隠蔽シートを示す図であり、（ａ）は表面から見た図、（ｂ）は積層状態を示す図、（ｃ）は（ａ）に示したＡ−Ａ’断面図、（ｄ）は（ａ）に示したＢ−Ｂ’断面図である。
【００３８】
本形態は図８に示すように、図７に示した第１のシート１２０上に図６に示した第２のシート１１０が剥離可能に貼着されて構成されている。
【００３９】
シート１１０は図６に示すように、分離線１１３を介して第１及び第２の領域に分離可能に構成され、第１の領域が分離領域１１２となり、第２の領域の表面にこのシート１１０の送付先の住所や氏名からなる宛先情報１１１が記載されている。また、分離線１１３を介して宛先情報１１１が記載された側の裏面には、シート１１０のベース基材１１０ａ上に剥離剤が塗布されることにより第２の剥離層１１０ｂが積層されている。また、分離領域１１２の裏面には、シート１１０のベース基材１１０ａ上に剥離可能な構造を有する擬似接着層１３０が接着力が強い粘着剤１５０を介して積層、貼着され、この擬似接着層１３０上に第２の貼着手段である粘着剤１４０ａが塗布されることにより第２の貼着層が積層されている。なお、擬似接着層１３０は、ポリエチレンやポリエステル等の合成樹脂からなる２層の透明なフィルム基材１３１ａ，１３１ｂが、接着力が弱い紫外線硬化型接着剤等の粘着剤１３２によって互いに剥離可能及び再貼着不可能に貼着されて構成されている。また、分離領域１１２には、その角部にベース基材１１０ａからフィルム基材１３１ａまで達する切り込み１１４が形成されている。
【００４０】
シート１２０は図７に示すように、シート１１０の剥離層１１ｂと対向する領域の表面に、情報が印字あるいは記入される情報付与領域１２１が設けられるとともに、情報付与領域１２１ではない領域、すなわち、シート１１０の分離領域１１２と対向する領域にこのシート１２０の送付先の住所や氏名からなる宛先情報１２２が記載されている。また、情報付与領域１２１上には、シート１２０のベース基材１２０ａ上に第１の貼着手段である粘着剤１４０ｂが塗布されることにより第１の貼着層が積層されており、また、宛先情報１２２が記載された領域上には、シート１２０のベース基材１２０ａ上に剥離剤が塗布されることにより第１の剥離層１２０ｂが積層されている。
【００４１】
このように構成されたシート１１０とシート１２０とは、図８に示すように、シート１１０の裏面とシート１２０の表面とが対向するように重ね合わされる。その際、分離領域１１２が、シート１２０に積層された剥離層１２０ｂと対向する領域となっていることから、粘着剤１４０ａによってシート１１０に積層された第２の貼着層とシート１２０に積層された剥離層１２０ｂとが互いに対向し、また、情報付与領域１２１が、シート１１０に積層された剥離層１１０ｂと対向する領域に設けられていることから、粘着剤１４０ｂによってシート１２０に積層された第１の貼着層とシート１１０に積層された剥離層１１０ｂとが互いに対向し、それにより、シート１１０とシート１２０とが剥離可能に貼着されている。
【００４２】
また、粘着剤１４０ａ，１４０ｂについては、第１の実施の形態にて説明したようなものが用いられる。
【００４３】
以下に、上記のように構成された情報隠蔽シートの使用方法について説明する。
【００４４】
まず、図６に示したシート１１０と図７に示したシート１２０とを図８に示したように重ね合わせ、粘着剤１４０ａ，１４０ｂ及び剥離層１１０ａ，１１０ｂによって剥離可能に貼着した状態で、宛先情報１１１に従ってシート１１０の送付先に送付する。この際、シート１１０とシート１２０とは、ベース基材１１０ａ上に積層された擬似接着層１３０あるいはベース基材１２０ａ上に粘着剤１４０ａ，１４０ｂが塗布された直後に貼着されるため、粘着剤１４０ａが塗布された分離領域１１２がシート１２０の剥離層１２０ｂと貼着し、また、粘着剤１４０ｂが塗布された情報付与領域１２１が剥離層１１０ｂと貼着する。また、この状態においては、粘着剤１４０ａ，１４０ｂが塗布された面が表出していないため、情報隠蔽シートの往信時に、粘着剤１４０ａ，１４０ｂと同一の材料からなる粘着剤が塗布されたものに接触してもそれと貼着されてしまうことはない。
【００４５】
シート１１０とシート１２０とが貼着された状態でシート１１０の送付先に送付された後、シート１１０の送付先において、まず、シート１１０とシート１２０とを剥離する。ここで、シート１１０とシート１２０とは粘着剤１４０ａ，１４０ｂによって貼着されているが、粘着剤１４０ａ，１４０ｂが塗布された領域が貼着されているのが剥離層１１０ｂ，１２０ｂであるため、シート１１０とシート１２０とを剥離することができる。
【００４６】
次に、シート１２０に設けられた情報付与領域１２１に、隠蔽すべき情報を印字あるいは記入する。なお、上述したように、ベース基材１２０ａ上に粘着剤１４０ｂが塗布されてなる第１の貼着層は筆記性を有するため、ベース基材１２０ａ上に粘着剤１４０ｂが塗布されてなるシート１２０の情報付与領域１２１には情報を印字したり記入したりすることができる。このように情報付与領域１２１に情報を印字あるいは記入することにより、情報付与領域１２１に情報を付与することになる。
【００４７】
次に、シート１１０の分離領域１１２を分離線１１３を介して宛先情報１１１が記載された領域から分離する。なお、この分離領域１１２の宛先情報１１１が記載された領域からの分離においては、分離線１１３としてミシン目を形成しておきこのミシン目を断裁することによって行うことや、分離線１１３を印刷しておき、この分離線１１３をはさみ等で断裁することによって行うこと等が考えられる。
【００４８】
そして、宛先情報１１１が記載された領域から分離された分離領域１１２をシート１２０の情報付与領域１２１上に重ね合わせ、粘着剤１４０ａ，１４０ｂによってこれらを互いに貼着する。なお、粘着剤１４０ａ，１４０ｂは互いにのみ再貼着可能であるため、上述したように、シート１１０とシート１２０とが剥離された後でも、再度この粘着剤１４０ａ，１４０ｂによって、シート１２０の情報付与領域１２１上にシート１１０の分離領域１１２を貼着することができる。
【００４９】
図９は、図７に示したシート１２０の情報付与領域１２１上に図６に示したシート１１０の分離領域１１２が貼着された状態を示す図であり、（ａ）は表面から見た図、（ｂ）は（ａ）に示したＡ−Ａ’断面図である。
【００５０】
図９に示すように、図７に示したシート１２０の情報付与領域１２１上にシート１１０の分離領域１１２が粘着剤１４０ａ，１４０ｂによって貼着された状態においては、情報付与領域１２１に印字あるいは記入された情報は、分離領域１１２によって覆われているため、外部から視認不可能となる。
【００５１】
このようにシート１２０の情報付与領域１２１上にシート１１０の分離領域１１２が貼着された状態において、このシート１２０を、シート１２０の表面に記載された宛先情報１２２にしたがって送付先に送付することになる。この状態においては、情報付与領域１２１に記入された情報が分離領域１１２によって隠蔽されているため、シート１２０の送付途中において、情報付与領域１２１に印字あるいは記入された情報が見られてしまうことはない。また、この状態においては、粘着剤１４０ａ，１４０ｂが塗布された面が表出していないため、情報隠蔽シートの返信時に、粘着剤１４０ａ，１４０ｂと同一の材料からなる粘着剤が塗布されたものに接触してもそれと貼着されてしまうことはない。
【００５２】
その後、シート１２０が送付先にて受け取られると、シート１２０に貼着された分離領域１１２が剥離される。この際、分離領域１２０には、角部にベース基材１１０ａからフィルム基材１３１ａまで達する切り込み１１４が形成されているため、この切り込み１１４を利用してシート１２０から分離領域１１２を容易に剥離することができる。
【００５３】
図１０は、図７に示したシート１２０に図６に示した分離領域１１２が貼着された後にシート１２０から分離領域１１２が剥離された状態を示す図であり、（ａ）は貼着されていた面を示す図であり、（ｂ）は（ａ）に示したＡ−Ａ’断面図、（ｃ）はシート１２０から剥離された分離領域１１２の断面図である。
【００５４】
シート１２０から分離領域１１２を剥離すると、粘着剤１５０の接着力が強く、また、擬似接着層１３０を構成する２層のフィルム基材１３１ａ，１３１ｂが、接着力が弱い粘着剤１３２によって擬似接着されているため、図１０に示すように、フィルム基材１３１ａとフィルム基材１３１ｂとが粘着剤１３２を介して剥離し、それにより、フィルム基材１３１ｂが粘着剤１４０ａ，１４０ｂによってベース基材１２０ａに貼着されたままシート１２０側に残存し、また、フィルム基材１３１ａが粘着剤１５０によって分離領域１１２のベース基材１１０ａとともにシート１２０から剥離される。そして、フィルム基材１３１ｂ及び粘着剤１４０ａ，１４０ｂが透明な材料からなるため、情報付与領域１２１に印字あるいは記入された情報１２３がフィルム基材１３１ｂ及び粘着剤１４０ａ，１４０ｂを介して外部から視認可能な状態となる。この際、情報１２３が印字あるいは記入された粘着剤１４０ｂは、粘着剤１４０ａを介してフィルム基材１３１ｂによって覆われているため、外部から損傷等を受けにくくなるとともに、情報１２３が改竄されてしまうことを防止することができる。
【００５５】
これにより、シート１２０の送付先に、情報付与領域１２１に印字あるいは記入された情報１２３を通知しながらも、シート１２０の送付途中において、情報付与領域１２１に印字あるいは記入された情報が見られてしまうことを防止することができる。
【００５６】
なお、上述した２つの実施の形態においては、シート１０，１１０の粘着剤４０ａ，１４０ａが塗布された領域に対向する領域のシート２０，１２０に剥離層２０ｂ，１２０ｂが積層され、また、シート２０，１２０の粘着剤４０ｂ，１４０ｂが塗布された領域に対向する領域のシート１０，１１０に剥離層１０ｂ，１１０ｂが積層され、これら粘着剤４０ａ，１４０ａと剥離層２０ｂ，１２０ｂ、並びに粘着剤４０ｂ，１４０ｂと剥離層１０ｂ，１１０ｂとにより、シート１０，１１０とシート２０，１２０とが剥離可能に貼着されて構成されているが、粘着剤４０ａ，４０ｂ，１４０ａ，１４０ｂを互いに剥離可能なものとし、シート１０，１１０のシート２０，１２０と対向する面、並びに、シート２０，１２０のシート１０，１１０と対向する面の全面にそれぞれ粘着剤４０ａ，４０ｂ，１４０ａ，１４０ｂを塗布しておくことも考えられる。なお、このように、粘着剤４０ａ，４０ｂ，１４０ａ，１４０ｂを互いに剥離可能なものとすることは、粘着剤４０ａ，４０ｂ，１４０ａ，１４０ｂに含まれる成分や、粘着剤４０ａ，４０ｂ，１４０ａ，１４０ｂがシート１０，２０，１１０，１２０に塗布されてからシート１０，１１０とシート２０，１２０とを貼着する時間等を調節することによって実現することができる。
【００５７】
また、上述した２つの実施の形態においては、粘着剤４０ａ，４０ｂ及び粘着剤１４０ａ，１４０ｂをそれぞれ、自己粘着性を有する高分子ポリマー等の同一の材料からなるものとしたが、互いにのみ再貼着可能であり、かつ、他の紙や樹脂等に再貼着しないものであれば、同一材料のものでなくてもよい。例えば、溶剤の配合が互いに異なるものや他の混合物が混入しているもの等の類似な材料からなるものであってもよい。また、水とは混合しないポリマー粒子が、親水性と親油性を有する乳化剤が介在することにより安定的に共存したエマルジョンタイプのものであることが好ましい。
【図面の簡単な説明】
【００５８】
【図１】本発明の情報隠蔽シートに用いられる２つのシートのうち一方のシートの第１の実施の形態を示す図であり、（ａ）は表面から見た図、（ｂ）は（ａ）に示したＡ−Ａ’断面図、（ｃ）は（ａ）に示したＢ−Ｂ’断面図、（ｄ）は裏面から見た図である。
【図２】本発明の情報隠蔽シートに用いられる２つのシートのうち他方のシートの第１の実施の形態を示す図であり、（ａ）は表面から見た図、（ｂ）は（ａ）に示したＡ−Ａ’断面図、（ｃ）は（ａ）に示したＢ−Ｂ’断面図である。
【図３】図１に示したシートと図２に示したシートとから構成された情報隠蔽シートを示す図であり、（ａ）は表面から見た図、（ｂ）は積層状態を示す図、（ｃ）は（ａ）に示したＡ−Ａ’断面図、（ｄ）は（ａ）に示したＢ−Ｂ’断面図である。
【図４】図２に示したシートの情報付与領域上に図１に示したシートの分離領域が貼着された状態を示す図であり、（ａ）は表面から見た図、（ｂ）は（ａ）に示したＡ−Ａ’断面図である。
【図５】図２に示したシートに図１に示した分離領域が貼着された後にシートから分離領域が剥離された状態を示す図であり、（ａ）は貼着されていた面を示す図であり、（ｂ）は（ａ）に示したＡ−Ａ’断面図、（ｃ）はシートから剥離された分離領域の断面図である。
【図６】本発明の情報隠蔽シートに用いられる２つのシートのうち一方のシートの第２の実施の形態を示す図であり、（ａ）は表面から見た図、（ｂ）は（ａ）に示したＡ−Ａ’断面図、（ｃ）は（ａ）に示したＢ−Ｂ’断面図、（ｄ）は裏面から見た図である。
【図７】本発明の情報隠蔽シートに用いられる２つのシートのうち他方のシートの第２の実施の形態を示す図であり、（ａ）は表面から見た図、（ｂ）は（ａ）に示したＡ−Ａ’断面図、（ｃ）は（ａ）に示したＢ−Ｂ’断面図である。
【図８】図６に示したシートと図７に示したシートとから構成された情報隠蔽シートを示す図であり、（ａ）は表面から見た図、（ｂ）は積層状態を示す図、（ｃ）は（ａ）に示したＡ−Ａ’断面図、（ｄ）は（ａ）に示したＢ−Ｂ’断面図である。
【図９】図７に示したシートの情報付与領域上に図６に示したシートの分離領域が貼着された状態を示す図であり、（ａ）は表面から見た図、（ｂ）は（ａ）に示したＡ−Ａ’断面図である。
【図１０】図７に示したシートに図６に示した分離領域が貼着された後にシートから分離領域が剥離された状態を示す図であり、（ａ）は貼着されていた面を示す図であり、（ｂ）は（ａ）に示したＡ−Ａ’断面図、（ｃ）はシートから剥離された分離領域の断面図である。
【符号の説明】
【００５９】
１０，２０，１１０，１２０    シート
１０ａ，２０ａ，１１０ａ，１２０ａ    ベース基材
１０ｂ，２０ｂ，３２，１１０ｂ，１２０ｂ    剥離層
１１，２２，１１１，１２２    宛先情報
１２，１１２    分離領域
１３，１１３    分離線
１４，１１４    切り込み
２１，１２１    情報付与領域
２３，１２３    情報
３０，１３０    擬似接着層
３１    目止層
３３    ニス層
４０ａ，４０ｂ，１３２，１４０ａ，１４０ｂ，１５０    粘着剤
１３１ａ，１３１ｂ    フィルム基材
【図１】
2006347104.tif 000003
【図２】
2006347104.tif 000004
【図３】
2006347104.tif 000005
【図４】
2006347104.tif 000006
【図５】
2006347104.tif 000007
【図６】
2006347104.tif 000008
【図７】
2006347104.tif 000009
【図８】
2006347104.tif 000010
【図９】
2006347104.tif 000011
【図１０】
2006347104.tif 000012